Podtech/llm-jp-corpus-v4-ja_patent huggingface dataset:
(57)【要約】【課題】  ジュースミキサーのカッター部分と底面を安全に洗浄することが出来る、ジュースミキサー用洗浄ブラシを提供する。【解決手段】  ブラシを使用の時、手でつまんで回転するため、つまみ部の周面に複数本のすべり止めのために浅い溝を設ける。つまみ部の上面は塞いである。ブラシ装着板の表面部の中央につまみ部を固定する。ブラシ装着板の裏面部にジュースミキサーのカッターの刃先から底面まで届く長さでナイロン製等の丈夫なブラシを設ける。つまみ部裏面の中央部分も、カッターの止め金まで届く長さで中央ブラシを設ける。カッター当て部はカッターで傷を付けないように強化性の丈夫な材質を用いる。洗浄ブラシを使用後はブラシを清潔に保たれ型崩れしないように、プラスチック製等の少なくとも内側が円筒形状のケースを設け、ブラシはケースの中に納まる状態になる。使用後は水垂れがあるため、ケース底面に複数個の水抜き穴を設け、水はけを良くするために高台を設けたことを特徴とするジュースミキサー用洗浄ブラシ。【選択図】図１
2012055658.tif 000002
【特許請求の範囲】
【請求項１】
ブラシを使用の時、手でつまんで回転するため、つまみ部の周面に複数本の、すべり止めのために浅い溝を設け、つまみ部の上面は塞いであり、ブラシ装着板の表面部の中央につまみ部を固定し、ブラシ装着板の裏面部のブラシ装着部に、ジュースミキサーのカッターの刃先から底面まで届く長さでナイロン製等の丈夫な、ブラシを設け、つまみ部裏面の中央部分もカッターの止め金まで届く長さで中央ブラシを設け、カッター当て部はカッターで傷を付けないように強化性の丈夫な材質を用い、洗浄ブラシを使用後は、ブラシが清潔に保たれ型崩れしないように、プラスチック製等の少なくとも内側が円筒形状のケースを設け、ブラシはケースの中に納まる状態になり、使用後は水垂れがあるため、ケースの底面に複数個の水抜き穴を設け、水はけを良くするために高台を設けたことを特徴とするジュースミキサー用洗浄ブラシ。
【発明の詳細な説明】
【技術分野】
【０００１】  本発明は、ジュースミキサー内部のカッター周りと底面を洗浄するためのブラシに関するものである。
【背景技術】
【０００２】  従来、ジュースミキサーのカッター部分の洗浄用ブラシは見あたらなかった。
【先行技術文献】
【０００３】
【発明の概要】
【発明が解決しようとする課題】
【０００４】  そのために、次のような問題点があった。
（イ）ジュースミキサーのカッター部分を、たわし、スポンジ等で洗浄するとき、カッターの刃先が指先にあたり、けがをすることが多々あり、危険なため、刃先の部分に指が触れないようにして洗浄するのは大変難しかった。
（ロ）安心して洗浄ができるには、ジュースミキサー内部のカッターの刃先から底面までのブラシの長さ、大きさを決める点で大いに難点があった。
本発明はこれらの問題点を解決するためになされたものである。
【課題を解決するための手段】
【０００５】  ブラシを使用の時、手でつまんで回転するため、つまみ部の周面に複数本の、すべり止めのために浅い溝を設ける。つまみ部の上面は塞いである。ブラシ装着板の表面部の中央に、つまみ部を固定する。ブラシ装着板の裏面部のブラシ装着部に、ジュースミキサーのカッターの刃先から底面まで届く長さでナイロン製等の丈夫なブラシを設ける。つまみ部裏面の中央部分も、カッターの止め金まで届く長さで中央ブラシを設ける。カッター当て部はカッターで傷を付けないように強化性の丈夫な材質を用いる。洗浄ブラシを使用後は、ブラシが清潔に保たれ型崩れしないように、プラスチック製等の少なくとも内側が円筒形状のケースを設け、ブラシはケースの中に納める状態になる。使用後は水垂れがあるため、ケースの底面に複数個の水抜き穴を設け、水はけを良くするために高台を設ける。  以上を特徴とするジュースミキサー用洗浄ブラシである。
【発明の効果】
【０００６】  つまみ部には、すべり止め用の浅い溝を設けたことでつまみやすく、ブラシを使用中の時、危険なカッターに指が触れることなく安心してジュースミキサーのカッターの周りや、底面の果物かす、野菜かす等がきれいさっぱり洗い落とせることで、衛生的で且つ安全である。
【図面の簡単な説明】
【０００７】
【図１】  本発明の斜視図
【図２】  本発明の一部であるケースの斜視図
【図３】  本発明のブラシ裏面から見たブラシ装着する前の斜視図
【図４】  本発明の実施例を示す斜視図
【発明を実施するための形態】
【０００８】  以下、本発明の実施の形態について説明する。
（イ）ブラシを使用の時、手（１６）でつまんで回転（１５）するため、つまみ部（２）周面には複数本のすべり止めのための浅い溝（３）を設ける。つまみ部の上面（１）は塞いである。ブラシ装着板の表面部（５）の中央に、つまみ部（２）を固定する。ブラシ装着板の裏面部（１２）のブラシ装着部（１３）に、ジュースミキサー（１４）のカッター（１７）の刃先からの底面まで届く長さでナイロン製等の丈夫な、ブラシ（７）を設ける。つまみ部（２）裏面の中央部分もカッター（１７）の止め金までの届く長さで中央ブラシ（６）を設ける。
（ロ）カッター当て部（４）はカッター（１７）で傷付けないように強化性の丈夫な材質を用いる。
（ハ）洗浄ブラシを使用後は、ブラシ（７）を清潔に保ち、型崩れしないように、プラスチック製等の少なくとも内側が円筒形状のケース（８）を設け、ブラシ（７）はケース（８）の中に納まる状態になる。
（ニ）ブラシ（７）使用後は水垂れがあるため、ケース底面部（１０）に複数個の水抜き穴（９）を設け、水はけのため高台部（１１）を設ける。
本発明は以上のような構成で、これを使用するときは、ジュースミキサー（１４）の中に、洗浄用ブラシを入れ、手（１６）で、つまみ部（２）をしっかりとつまみ、カッター当て部（４）が刃先に当たるように置き、ブラシ装着板の表面部（５）を水平にし、左右に４〜５回、回転（１５）することでカッター（１７）に指が触れることなくジュースミキサー（１４）のカッター周辺と底面を安全に洗浄することができる。使用後は洗浄ブラシ本体をしっかり水洗いをし、直接ケース（８）に収納して置く、次に使用する時も衛生的で安心して手軽に使用することが出来る。
【符号の説明】
【０００９】１    つまみ部の上面            １０    ケース底面部
２    つまみ部                  １１    高台部
３    溝                        １２    ブラシ装着板の裏面部
４    カッター当て部            １３    ブラシ装着部
５    ブラシ装着板の表面部      １４    ジュースミキサー
６    中央ブラシ                １５    回転
７    ブラシ                    １６    手
８    ケース                    １７    カッター
９    水抜き穴
【図１】
2012055658.tif 000003
【図２】
2012055658.tif 000004
【図３】
2012055658.tif 000005
【図４】
2012055658.tif 000006
(57)【要約】【課題】マグカップ内の温かい飲み物を自分のペースでゆっくり飲むと外気によって冷めてしまい、その都度温め直して飲んだり、温め直しができない状況ではそのまま冷めてしまった飲み物を飲むという問題があった。【解決手段】このマグカップウォーマーを使用することで保温効果がみられそれによってマグカップ内の飲み物を冷めにくくする事ができる。【選択図】図４
2012055647.tif 000002
【特許請求の範囲】
【請求項１】
この用具はマグカップ内の温かい飲み物を保温効果によって冷めにくくする物である。
【請求項２】
使用する際、カバーとネット布地に包まれたオーガニック小麦粒の中身を取り付け電子レンジで温めて使用する。
【請求項３】
カバーの裏には滑り止めとしてシリコン製のシートが付いている。
【請求項４】
繰り返し使用するためカバーが汚れた時は取り外しができ、洗濯することにより衛生面でも安全である。
【請求項５】
サイズとしてマグカップ大の底の直径が平均７〜８ｃｍなので、目安としてその範囲が好ましいが、マグカップ小の場合サイズが多いのでそのマグカップに合わせ作ることも可能である。
【請求項６】
マグカップだけでなく、サイズが合えばカフェボール、スープボール、またはそれ以外の食器などにも応用でき使用することができる。
【発明の詳細な説明】
【技術分野】
【０００１】本発明は、マグカップ内の温かい飲み物を冷めにくくする用具である。
【背景技術】
【０００２】今までにこの種の用具がどこにも発明されておらず解決されずにいる。
【発明の概要】
【発明が解決しようとする課題】
【０００３】マグカップ内の温かい飲み物をゆっくり自分のペースで飲みたい時外気の条件によってマグカップ内の飲み物が冷めてしまうことが多い。
【課題を解決するための手段】
【０００４】このマグカップウォーマーを電子レンジで温め、マグカップに直接装着することにより、マグカップ内の温かい飲み物を保温効果によって冷めにくくすることができる。
【発明の効果】
【０００５】この発明によってマグカップ内の温かい飲み物が冷めにくくなり、冷めてからもう一度飲み物を温め直す手間が省け、自分のペースで飲むことができる時間が延ばせる。
【発明を実施するための形態】
【０００６】ネット状の布地の中にオーガニック小麦の粒が入っており、それとは別にチャックつきのカバーが付いている。
チャックつきのカバーが付いていることによって、取り外してカバーを洗濯することができ、衛生的に問題なく使用ができる。
【０００７】テーブル上やトレー上で滑らないように裏にはシリコンの滑り止めがついている。
【図面の簡単な説明】
【０００８】
【図１】本発明を上方から示した平面図である。
【図２】本発明を裏側から示した平面図である。
【図３】本発明の分解図を示した図である。
【図４】実際に取り付けたときのイメージ図。
【産業上の利用可能性】
【０００９】個人で使用するだけではなく、最近のフランチャイズコーヒーショップでは、マグカップで温かい飲み物を提供している店も多く需要が多い。
最近はステンレス製のサーモマグなどもあるが、やはり自分の気に入ったマグカップを使用したい人が多いと思われる。
【符号の説明】
【００１０】１滑り止めになっているシリコンシート。
２カバーのチャック部分。
３カバー。
４ネット状の布地に入った小麦粒。
【図１】
2012055647.tif 000003
【図２】
2012055647.tif 000004
【図３】
2012055647.tif 000005
【図４】
2012055647.tif 000006
(57)【要約】【課題】  本発明は、パンツに磁石を編みこみ、膀胱、尿道、神経に刺激を与えることを特徴とした磁気パンツを提供する。【解決手段】    パンツ（１）に磁石（２）を組みこみ、磁石（２）は、前と後に組みこんだことを特徴とする磁気パンツ。【選択図】図１
2012055650.tif 000002
【特許請求の範囲】
【請求項１】
パンツ（１）に磁石（２）を組みこみ、磁石（２）は、前と後に組みこんだことを特徴とする磁気パンツ。
【発明の詳細な説明】
【技術分野】
【０００１】  本発明は、パンツに磁石を編みこみ、膀胱、尿道、神経に刺激を与えることを特徴とした磁気パンツに関するものである。
【背景技術】
【０００２】  従来、電気、磁気波を利用した、電磁気はありましたが、下着に組みこんだ製品はありませんでした。
【発明の概要】
【発明が解決しようとする課題】
【０００３】  そのために、次のような問題点がある。
尿漏れの治療器のため、人目を気にして使用は人目にふれないところで使用していた。
本発明は以上の問題点を解決するためになされたものである。
【課題を解決するための手段】
【０００４】  パンツ（１）に磁石（２）を組みこみ、磁石（２）は、前と後に組みこんだことを特徴とする磁気パンツ。
【発明の効果】
【０００５】  パンツに組みこまれているため、１日中磁気の刺激がうけられ、また、人目につかないので安心して着用できる。
【図面の簡単な説明】
【０００６】
【図１】  本発明の斜視図である。
【発明を実施するための形態】
【０００７】  以下、本発明の実施の形態について説明する。
（イ）パンツ（１）に磁石（２）を組みこむ
（ロ）磁石（２）は前と後に組みこむ。
（ハ）磁石（２）をパンツ（１）の膀胱や尿道が当たる位置に組みこむ。
以上のような構成よりなる、磁気パンツに関するものである。
【符号の説明】
【０００８】  １  パンツ
２  磁石
【図１】
2012055650.tif 000003
(57)【要約】【課題】生体内温度測定を行い加熱冷却も出来る装置を製作する。【解決手段】温度センサーと効率よく伝達する為の熱伝達部分を樹脂で覆うことで補強し、更にガラスで保護した。【選択図】図１
2012055675.tif 000002
【特許請求の範囲】
【請求項１】
樹脂により一体とした熱伝導部と温度センサーをガラスで保護した生体内温度可変装置。
【発明の詳細な説明】
【技術分野】
【０００１】  正確に長期間において生体内の温度を安定した測定と加熱と冷却が可能な温度可変装置に関する。
【背景技術】
【０００２】  従来、生体内の温度を可変させる為には液体を通したチューブと温度センサーの２つを埋め込む方法が取られていた。
【発明の概要】
【発明が解決しようとする課題】
【０００３】  従来の温度可変方法には次のような欠点があった。
（イ）温度測定センサーと温度可変用チューブを埋め込む為に小型化が難しく、広範囲に渡って生体組織に物理的な悪影響が及ぶ可能性があった。【０００４】  （ロ）チューブによる加熱冷却では、チューブの折返しにより面積が大きくなり生体の目的組織以外の部分まで温度変化を与える可能性があった。【０００５】  （ハ）チューブによる温度可変では、センサーの配線とチューブの取り回しが別になることが多く引っ掛かける、絡む等が発生しやすく損傷の原因となりやすかった。【０００６】  （ニ）チューブを使用した加熱冷却では樹脂又は金属で出来たチューブから放出される微量成分が生体に影響を与える可能性があった。本発明は、以上のような欠点をなくす為になされた物である。
【課題を解決するための手段】
【０００７】  従来技術の欠点をなくす目的で、熱伝達に優れた熱伝達部と温度測定の温度測定部品と配線接続部、並びに配線への生体からの応力を防ぎ性能の確保。【０００８】  及び、生体への樹脂及び金属イオンの流出を防ぎ、更に、補強樹脂、温度測定部品と配線接続部、及び配線への吸湿や物質の侵入を防ぐガラス層により形成され長期信頼性を得る。【０００９】  温度を可変させる為に冷却、加熱素子である小型ペルチェ素子と目的の生体組織に熱を伝える熱伝導部分を設ける。【００１０】  本発明は、これらペルチェ素子による冷却、加熱部分と生体組織までの熱伝導部分と温度測定部分を樹脂で一体化しガラスにより保護された構造とすることをもっとも主要な特徴とする。
【発明の効果】
【００１１】  以上の発明により、実際にマウスの生体脳温度を安定した状態での連続測定と温度可変が可能となった。
【図面の簡単な説明】
【００１２】
【図１】  本発明の断面図である。
【発明を実施するための形態】
【００１３】  生体内の温度を、長期間に安定した状態で温度測定を行うために最小の部品点数で生体内に取り付けることが可能な先端の直径１ｍｍ以下、全長３．５ｍｍ以上を実現した。
【００１４】  温度測定部品と配線接続部、及び配線への安定した絶縁性の確保を行う為に絶縁性樹脂により温度センサーの保護をおこなう。
【００１５】  直径１ｍｍ以下の形状を作成するには、従来の金属カバー内に絶縁物質を充填する方法では困難な作業であったが樹脂型による成型が可能になり製造が容易となった。
【００１６】  また、金属カバーの方法では先端が細い場合は十分な剛性が得られなかったが樹脂補強構造で高い曲げ弾性率を得ることが可能になった。
【００１７】  高い曲げ弾性率の補強樹脂の使用により動きの発生する生体内においても、内部温度測定部品と部品と配線の接続部、及び配線への応力の発生を抑えることが可能となる。
【００１８】  熱膨張係数の少ない補強樹脂の使用により生体内及び温度可変機構からの温度変化によるサーミスタチップと配線接続部、及び配線への応力の発生を抑えることが可能となる。
【００１９】  形成した絶縁樹脂の上に、更にガラス層を作成する
【００２０】  ガラス層の形成は１５０度以下の温度で可能な方法を用いる事によりサーミスタチップとその接合部及び配線及び補強樹脂に悪影響が及ばない方法で行った。
【００２１】  ガラス層は２００ミクロン以下の層での形成を行う。
【００２２】  その事からガラス層に柔軟性を持つ事が可能となり生体の動きによる応力からの割れが発生する事を防止することが可能となった。
【産業上の利用可能性】
【００２３】  生体内温度と生命活動の関係を証明する研究に利用された。更に、疾患の治療法の研究にも利用されるものと考えられている。
【符号の説明】
【００２４】  １  ガラス層
２  サーミスタチップ
３  樹脂
４  配線
５  熱伝達部
６  放熱部
７  配線接続部
８  配線接続端子
９  ペルチェ素子
【図１】
2012055675.tif 000003
(57)【要約】      （修正有）【課題】洋式トイレを使用した際、脱いだ衣類の落下防止具を提供する。【解決手段】アルミパイプ１に上下可能なバネ付止め具４を、Ｌ字型部品５を便座に外枠のように取り付け、便座を連結させる金属ステー２を使用接点には、ゴム３を使用し、使用者が便器を使う時には、Ｌ字型部品５を略９０度回動させるように下ろし、Ｌ字型部品５に衣類を掛けることで、衣類のずり落ちを防止する。【選択図】図２
2012055676.tif 000002
【特許請求の範囲】
【請求項１】
洋式トイレで用を足す際に、下部衣類を脱ぎ、床にずり落ちないように受け取る物で、床が汚れている場所で、落ちて、衣類が汚れないようにする為の物。
【発明の詳細な説明】
【技術分野】
【０００１】  本発明はトイレで衣類の落下を防止に関するものである。
【背景技術】
【０００２】  今までに衣類を落下防止する為の物は見た事も無い。
【発明の開示】
【発明が解決しようとする課題】
【０００３】  そのために次のような問題点があった。
（イ）洋式トイレでズボン、下着を脱ぎ、用を足している最中に、ずり落ち、汚れてしまった。
（ロ）衣類のずり落ちが気になり、落ち着いてできない。
【課題を解決するための手段】
【０００４】便座に外枠のようにパイプで取り付け、便座とパイプの接点にはクッションを入れ、便座前部は上下するＬ字型の部品を取り付け、用を足す際のみＬ字部分を下ろし使用し、衣類はその、Ｌ字部分で受け止める。
【発明の効果】
【０００５】洋式トイレが今後更に普及される中、衣類落下を防ぐ物は、必ず必要とされる。
【発明を実施するための最良の形態】
【０００６】    以下、本発明の実施の形態について説明する。
（イ）アルミパイプ（１）の左右、中央の３ヶ所に（２）を下から固定、（１）の中央部分に（５）を取り付けた（４）を開いた状態で固定、（下にならないよう、開いた所で止まる様に）穴あきゴムクッション（３）を（１）に通す。
【図面の簡単な説明】
【０００７】
【図１】本発明の上からの図
【図２】側面図
【符号の説明】
【０００８】    １、アルミパイプ
２、金属ステー
３、ゴムクッション（パイプを通す為穴あき）
４、バネ付止め具
５、Ｌ字型部品
【図１】
2012055676.tif 000003
【図２】
2012055676.tif 000004
(57)【要約】【課題】  ポットにティーバッグを使って麦茶などを作るときに使用するティーバッグ用茶漉しを提供する。【解決手段】  二つの格子状の四角の板を、開閉できるように片端をつなげ、反対側にそれぞれ持ち手を設け、持ち手をポットの口にかけて、その間にティーバッグを置き、茶漉しとして用い、ティーバッグを取り出す時は、茶漉しを持ち上げて閉じ、間にはさんだティーバッグの水気を絞ることを特徴とするティーバッグ用茶漉し。【選択図】図１
2012055673.tif 000002
【特許請求の範囲】
【請求項１】
二つの格子状の四角の板を、開閉できるように片端をつなげ、反対側にそれぞれ持ち手を設け、持ち手をポットの口にかけて、その間にティーバッグを置き、茶漉しとして用い、ティーバッグを取り出す時は、茶漉しを持ち上げて閉じ、間にはさんだティーバッグの水気を絞ることを特徴とするティーバッグ用の茶漉し。
【発明の詳細な説明】
【技術分野】
【０００１】  本発明は、ポットにティーバッグを入れて麦茶などを作るときに使う、ティーバッグ用茶漉しに関するものである。
【背景技術】
【０００２】  従来、ポットにティーバッグを入れて麦茶などを作り、ティーバッグを取り出す時には、菜箸を使って取り出し、手で絞って捨てていた。
【発明の概要】
【発明が解決しようとする課題】
【０００３】  そのために、次のような問題点があった。
（イ）ティーバッグがポットの底に沈んでしまい、取り出しにくかった。
（ロ）ティーバッグを捨てるときに、水気をとるため手で絞っていた。
本発明は、以上の問題点を解決しようとするものである。
【課題を解決するための手段】
【０００４】  二つの格子状の四角の板を、開閉できるように片端をつなげ、反対側にそれぞれ持ち手を設ける。
持ち手をポットの口にかけて、その間にティーバッグを置き、茶漉しとして用いる。
そして、ティーバッグを取り出す時は、茶漉しを持ち上げて閉じ、間にはさんだティーバッグの水気を絞る。
以上の使い方をするティーバッグ用の茶漉しである。
【発明の効果】
【０００５】  本発明は、ティーバッグがポットの底に沈まなくなる。
また、ティーバッグを間に挟んだままで、水切りができる。
したがって、箸を使わずにティーバッグが取り出せるようになり、また手を汚さなくて済む。
【図面の簡単な説明】
【０００６】
【図１】  本発明の斜視図である。
【図２】  本発明の使用状態を示した斜視図である。
【発明を実施するための形態】
【０００７】  以下、本発明の実施の形態を説明する。
（イ）二つの格子状の四角の板（１）を、開閉できるように片端をつなげる。
（ロ）反対側の端にはそれぞれ持ち手（２）を設ける。
本発明は、以上の構成よりなっている。
本発明を使用するときは、上記のティーバッグ用茶漉しを広げ、ポットの口に両側の持ち手（２）をかける。
その間にティーバッグを置く。
上からお湯または水をティーバッグが浸るまで入れる。
お茶ができたら、ティーバッグ用茶漉しを持ち上げる。
持ち手を閉じてティーバッグをしぼり、水気を切ってティーバッグを捨てる。
【符号の説明】
【０００８】  １  板
２  持ち手
３  ティーバッグ
４  ポット
【図１】
2012055673.tif 000003
【図２】
2012055673.tif 000004
(57)【要約】【課題】法の範囲内において、硬貨の支払い枚数を増やして支払うことができるが、これまでの小銭入れは、分類した硬貨がどれだけあるのか判明しないものであった。本発明は、分類した硬貨の種類と枚数を表示管理し、所要の硬貨を容易に取り出せる通常硬貨の小銭入れを提供する。【解決手段】円筒形の袋の中に、釣銭を一時保管もできる空間部と、両端だけを固定したバネのような馬蹄形状の骨組みを設け、骨組みの登頂部は５つごとに目印を付けて境目を設ける。さらに、袋の平面の中央ぐらいまで切り口を設け、円筒形の曲面上に硬貨の種類と枚数を管理する目盛り穴にクリップで表示装着し、カバーを設けて開閉する。【選択図】図１
2012055677.tif 000002
【特許請求の範囲】
【請求項１】
袋（１）の中に、両端を固定した骨組み（２）を設け、骨組み（２）の登頂部（３）は５つごとに目印を付けて境目（４）を設ける。さらに、袋（１）の上部から平面（５）の中央ぐらいまで切り口（６）を設け、目盛り穴（８）にクリップ（９）を装着表示し、釣銭には一時保管もできる空間部（１１）を設け、カバー（７）を動かないように固定する通常硬貨管理小銭入れ。
【発明の詳細な説明】
【技術分野】
【０００１】  本発明は、釣銭の種類と数に対して分類する境目を使い分けることができ、さらに分類した硬貨がどれだけあるのか管理するので、所要の硬貨を容易に取り出すことができる小銭入れに関するものである。
【背景技術】
【０００２】  従来、固定した仕切りを設けて分類する小銭入れ（実用文献１）や、最大で９９９円入る小銭れ（特許文献２）が知られている。
【先行技術文献】
【０００３】
【特許文献２】特開２００６−０３４２９７号公報
【実用文献１】
実開平６−３４５０９号公報
【発明の概要】
【発明が解決しようとする課題】
【０００４】  従来の小銭入れは、次のような欠点があった。
（イ）、法の範囲内において、硬貨の支払い枚数を増やして支払うことができるが、分類した硬貨がどれだけあるのか判明しないので、容易に取り出すことができないものだった。
（ロ）、釣銭の種類と数に対して仕切りを変えられないので、法の範囲内において、収納できない釣銭が生じるものだった。
本発明は、以上の問題点を解決するために発明されたものである。
【課題を解決するための手段】
【０００５】袋（１）の中に、両端だけを固定した骨組み（２）を設け、骨組み（２）の登頂部（３）は５つごとに目印を付けて境目（４）を設ける。さらに、袋（１）の上部から平面（５）の中央ぐらいまで切り口（６）を設け、円筒形の曲面上に硬貨の種類と数を管理する目盛り穴（８）に、クリップ（９）で表示装着し、また、釣銭を一時保管もできる空間部（１１）を設けて、カバー（７）とスナップ（１０）を設けて開閉する。
以上の構成よりなる通常硬貨管理小銭入れ。
【発明の効果】
【０００６】  本発明を使用することによって、硬貨の種類と数を管理し、所要の硬貨を容易に出し入れすることができる。
【図面の簡単な説明】
【０００７】
【図１】本発明の開いた袋の斜視図
【図２】本発明の骨組みと硬貨収納状態の斜視図
【図３】本発明の１円枚数表示に用いるクリップの図
【図４】本発明の目盛り穴にクリップで表示装着した図
【発明を実施するための形態】
【０００８】  以下、本発明の実施の形態を説明する。
（イ）、円筒形の袋（１）の中に、両端だけを固定したバネのような馬締形状の骨組み（２）を設け、硬貨を立てて収納し、また、出し入れ自在にする。
（ロ）、骨組み（２）の登頂部（３）は、５つごとに目印を付けて境目（４）を設け、硬貨の種類と枚数の把握に利用し、帯状に並んだ切り目の目盛り穴（８）にクリップ（９）で、硬貨の種類と枚数について表示と管理をする。
（ハ）、袋（１）の上部から平面（５）の中央ぐらいまで切り口（６）を設け、平面付近の硬貨も出し入れ自在にする。
（ニ）、釣銭は空間部（１１）に一時保管もできる。
（ホ）、カバー（７）とスナップ（１０）で開閉を自在にする。
本発明は、以上の構成よりなる。
本発明を使用する場合は、スナップ（１０）をはずして、カバー（７）をめくって切り口（６）を開き、円筒形の袋の中に硬貨を収納できるようにする。骨組み（２）の登頂部（３）から隣接する登頂部（３）の間に立てて１枚ずつ、境目（４）から境目（４）には最大で同種の硬貨を５枚を収納する。これを繰り返して、境目（４）から境目（４）を利用して、各種硬貨の５枚の倍数と５未満の枚数から各種硬貨の総枚数を把握する。把握したそれぞれの枚数を、帯状に並んだ切り目の目盛り穴（８）にクリップ（９）で装着表示して、準備した硬貨の種類と枚数を管理する。カバー（７）とスナップ（１０）を閉じて、支払いのために持ち歩く。支払いをする場合は、スナップ（１０）をはずして、カバー（７）をめくり、クリップ（９）の表示から準備した硬貨の種類と枚数を確認する。切り口（６）を開いて上方から指先を入れ、所要の硬貨を容易に取り出すことができる。支払い場所の混雑を避けるため、釣銭は空間部（１１）に一時保管もできる。
【符号の説明】
【０００９】１  袋
２  骨組み
３  登頂部
４  境目
５  平面
６  切り口
７  カバー
８  目盛り穴
９  クリップ
１０  スナップ
１１  空間部
【図１】
2012055677.tif 000003
【図２】
2012055677.tif 000004
【図３】
2012055677.tif 000005
【図４】
2012055677.tif 000006
(57)【要約】      （修正有）【課題】通常のハンガーには掛けにくい靴下、下着などの小物衣類１〜数個や、スカート、ズボン等を、物干しや収納の際、簡単にハンガーに掛けられる様にできる、衣類等のハンガーへのコンパクトな固定用具を提供する。【解決手段】洗濯バサミ等クリップ状の器具１、数個を取り付けたヒモ２の両端にヒモの輪３を取り付け、簡単にハンガーに固定できる形状にする。但しヒモは、ビニール等やや弾力性のある樹脂製のものが望ましい。そのような形状とすると輪の部分をハンガーの肩に簡単に掛けられる様になり、取り付けられた洗濯バサミ等クリップ状の器具を用いて、衣類等がハンガーに簡単に固定出来るようになる。【選択図】図２
2012055383.tif 000002
【特許請求の範囲】
【請求項１】
洗濯バサミ等クリップ状の器具(１)数個を取り付けたヒモ(２)の両端に、ヒモの輪(３)を取り付けた、ハンガーに掛けにくい１〜数個の衣類等のハンガーへの固定用具。
【発明の詳細な説明】
【技術分野】
【０００１】
この発明は、通常のハンガーには掛けにくい靴下、下着などの小物衣類１〜数個やスカート、ズボン等を、物干しや収納の際、簡単に掛けられる様にできる、衣類等のハンガーへの固定用具に関するものである  
【背景技術】
【０００２】
一般に、ハンガーには掛けにくい靴下、下着などの小物衣類やスカート、ズボン等を洗濯して干す場合、ハンガーに洗濯バサミでそれらを直接固定するという方法の他、ピンチハンガーと呼ばれる洗濯バサミ付きハンガーが使用されることが多い。
スカートなどの衣類の収納に関して言うと、スカートは専用のハンガーが使用され、スカートと上着でセットのスーツなどは、予め洗濯バサミのついたハンガーを用いてスカートを固定し、その上着をセットで掛けておく事などが一般的であった。
また、２個の洗濯バサミをハンガーに固定する形で使用する器具も、上記の場合に使用されるべく、考えられてはいた（特許文献１）。
【先行技術文献】
【特許文献】
【０００３】
【特許文献１】特開２００３−２８４９００号公報
【発明の概要】
【発明が解決しようとする課題】
【０００４】
これらには次のような欠点があった。
１）  ピンチハンガー自体かさばり、収納に困る。
２）  収納に困るピンチハンガーを余分に置いてはおけず、子供のいる家庭などは小物衣類が多く、対応しきれない場合がある。
３）  普通のハンガーに従来の洗濯バサミでスカートなどを固定しようとすると、ハンガーと布を一緒にはさむ必要があるなど、固定しにくい場合や、ハンガーの太さによると固定できない場合がある。
４）  ピンチハンガー自体の大きさが一定であるため、ピンチハンガーに掛ける衣類が少ない場合でも干す場所を多くとってしまう。
５）  スカートや、スカートのスーツなど上下対の衣類をひとつのハンガーに掛ける場合などは、専用のピンチ付きハンガーが必要であった。
６）  上記特許文献１において、それらは解決されているものの、その器具に取り付けられた洗濯バサミの数が2個のみであったので、固定できる衣類の数が2個に限られていた。
【課題を解決するための手段】
【０００５】
上記の問題を解決するため、本発明は、洗バサミ等クリップ状の器具数個を取り付けたヒモ（２）の両端に、ヒモの輪（３）を取り付け、それを固定用具としてハンガーに掛けにくい１〜数個の衣類等を普通のハンガーに掛けられる形状にするものである。
【発明の効果】
【０００６】
本発明品は、以下に記載される様な効果を奏する。
【０００７】
ハンガーに掛けにくい小物衣類数やスカートなどを本発明品の洗濯バサミ等クリップ状の器具に取り付けると、簡単にハンガー掛けられる様になり、落ちないので、小物衣類やスカート、子供ズボン等の洗濯物を干したり、収納したりする際、大変便利である。
【０００８】
洗濯物を干す際よく利用されているピンチハンガーの様なかさ張る器具が不要となり、洗濯場がすっきりする。
【０００９】
全ての洗濯物を通常のハンガーにまとめて干すことができる様になるので、物干しの作業に一貫性が生じ、能率良く出来る様になる
【００１０】
物干し場の広さと洗濯物の量に応じ干す間隔を自由に調節できる。
【００１１】
スカート単独の場合や、スカートと上着をひとつのハンガーに掛けておきたい場合なども利用できるので、スカートやスーツ専用のハンガーもいらなくなる。
【００１２】
ピンチハンガーを主に使用する場合においても、本発明品はコンパクトであるため、予備に用意して置くことにより、小さい洗濯物が多い時にも対応する事が可能となる。
【図面の簡単な説明】
【００１３】
【図１】本発明品の図
【図２】本発明品の使用状態を示す図
【図３】本発明品にデザイン性を施した例の正面図
【発明を実施するための形態】
【００１４】
以下、本発明品の実施形態を説明する。
１）  数個の洗濯バサミ等クリップ状の器具(１)を、長さ２９ｃｍ程度の、塩化ビニール等の弾力性のある樹脂製のヒモ(２)に等間隔で取り付ける
２）  その、クリップ状の器具数個を取り付けたひもの両端に、長さ１３ｃｍ程度のこれも弾力性のある樹脂製のヒモを輪にしたもの(３)を取り付ける
本発明は、以上の構成よりなっている。
また、(実施例３)の仕様にすることもできる。
【００１５】
本発明品は、使用者の都合に応じ、次の様に使用する。
【実施例１】
【００１６】
輪を利用し、衣類の肩ヒモの要領で、本発明品をハンガーに取り付けると、ハンガーに洗濯バサミ等クリップ状の器具数個が固定されている形となり、簡単に小物衣類等数個がハンガーに掛けられるようになる
【実施例２】
【００１７】
先に、数個の小物衣類等を本発明品の洗濯バサミ等クリップ状の器具に取り付けた場合も、本発明品の輪の部分をもって、ハンガーにまとめて簡単に掛けることができる。
【実施例３】
【００１８】
器具(１)を、デザイン性のあるクリップ(６)にすると、使用感がさらに向上する。
【符号の説明】
【００１９】
１    洗濯バサミ等クリップ状の器具
２    ヒモ
３    ヒモの輪
４    衣類（例）
５    ハンガー
６    デザイン性のあるクリップ（例）
【図１】
2012055383.tif 000003
【図２】
2012055383.tif 000004
【図３】
2012055383.tif 000005
【手続補正書】
【提出日】平成22年9月24日(2010.9.24)
【手続補正１】
【補正対象書類名】図面
【補正対象項目名】図１
【補正方法】変更
【補正の内容】
【図１】
2012055383.tif 000006
(57)【要約】【課題】膝を曲げずにかかとを高く保つことを、ふくらはぎを均等に保持することによって応力分散し、脚の負担を軽減させ、長時間持続する。【解決手段】下肢保持具の上げ角１０は、ふくらはぎの均等荷重角１１沿って接し、また床面１３に接した状態で決定する。脚の上げ角９はこの上げ角１０と、個人固有値である、ふくらはぎの均等荷重角１１、ひざ関節の曲がり角および脚の長さである基準線４と７で決定されるので、下肢保持具は、ふくらはぎを均等に保持する角度でバランス静止し、膝を曲げずにかかとを高く保持できる。【選択図】図２
2012055599.tif 000002
【特許請求の範囲】
【請求項１】
膝を曲げずにかかとを高く保持した状態でふくらはぎを均等保持しバランス静止できる、側面形状が円弧状の形をした下肢保持具。
【発明の詳細な説明】
【技術分野】
【０００１】
本発明は、ふくらはぎを均等保持し、かかとを高く保つ下肢保持具に関するものである。
【背景技術】
【０００２】
立ち姿勢や座り姿勢を長時間保っていると下肢にむくみ等の症状が出て痛みや疲労が発生する。  これを解消するために、マッサージや体操などにより、また、仰向けに寝てかかと部分を高く保持することで、下肢に滞留している血液、リンパ液などを循環させていた。
【０００３】
しかし、マッサージや体操などは、かなりの労力を必要とし面倒であったし、またこれらのサービスを受ければその報酬を支払う必要があった。    
【０００４】
又従来のかかと部分を高く保持する方法は、高い位置にかかとを載せるため、ひざの関節に負担がかかり、又載せた部分に応力が集中し長時間同じ姿勢を保つのが困難であった。
【０００５】
この改善策として、載せた部分に応力が集中しないようにふくらはぎを均等に保持し、膝を曲げずにかかと部分を高く保つ下肢保持具があれば上記の問題点は解消するが、ふくらはぎの形状や足の長さによって人それぞれ異なるため、難があった。
【先行技術文献】
【特許文献】
【０００６】
なし
【非特許文献】
【０００７】
なし                       
【発明の概要】
【発明が解決しようとする課題】
【０００８】
解決しようとする問題点は、人それぞれ脚の形状が異なるため、ふくらはぎを均等に保持し膝を曲げずにかかとを高く保持することができる下肢保持具がないという点である。
【課題を解決するための手段】
【０００９】
本発明は、下肢保持具が、自動的に、ふくらはぎを均等に保持する角度でバランス静止し、膝を曲げずにかかとを高く保持できることを最も主要な特徴とする。  
【発明の効果】
【００１０】
本発明の下肢保持具は、膝を曲げずにかかとを高く保持する際、ふくらはぎを均等に保持することによって応力分散し、脚の負担を軽減させ、長時間保持できるという利点がある。  
【図面の簡単な説明】
【００１１】
【図１】図１は本発明の下肢保持具の概観図である。(実施例１)
【図２】図２は本発明の下肢保持具が使用されるときの説明図である。(実施例１)
【図３】図３はひざを十分に延ばすことができない場合でも、本発明の下肢保持具がその機能を発揮できる説明図である。(実施例１)
【発明を実施するための形態】
【００１２】
長時間、膝を曲げずにかかとを高く保つという目的を、下肢の荷重、下肢の長さ、ふくらはぎの形状により、下肢保持具がふくらはぎを均等保持しながら、脚の上げ角度を自動的に選びバランス静止することを実現した。
【実施例１】
【００１３】
図1は、本発明下肢保持具の概観図で、上面カバー１はこの上にふくらはぎを載せるようになっていて、布等の敷布が緩く張ってある。ふくらはぎの形状に倣い、接触面を多くして、単位面積当たりの荷重を減らす。また敷布が緩く張ってあることで重心位置が下がり、下肢保持具を安定させる働きがある。
【００１４】
サイドウォール２は側面形状が接地面に対して円弧状をしている。このため上面カバー１にかかる荷重によって上面の上げ角度は自動的に均等荷重になる角度でバランス静止する機構である。      
【００１５】
図２は本発明の下肢保持具１２と脚の関係を側面から見た図である。実線は脚全体を上げている状態で、破線は下肢保持具が膝を曲げずにかかとを高く上げている状態を示している。
【００１６】
かかと３からひざ関節５を経由して股関節６に至る基準線４と７は,股関節８を中心として回転できるので、破線は、ひざを伸ばした状態でふくらはぎの平均形状直線５と本発明下肢保持具１２が接した状態で床面１３まで降ろした状態である。
【００１７】
脚の上げ角９は下肢保持具の上げ角１０とふくらはぎの均等荷重角１１、ひざ関節の曲がり角および脚の長さである基準線４と７により決まる。
【００１８】
また、下肢保持具は、基準線４と７に対してのふくらはぎの均等荷重角１１沿って接し、その状態で準線４と７は股関節８を中心として回転し、床面１３に接した状態を破線で示している。これにより下肢保持具の上げ角１０が決まる。
【００１９】
ふくらはぎの均等荷重角１１、ひざ関節の曲がり角および脚の長さである基準線４と７はそれぞれ個人特有のものであるから決まっている。
【００２０】
つまりどのような脚でも必ず固有の脚の上げ角９と下肢保持具の上げ角１０でふくらはぎを均等に保持し、かかとを高く保ち、バランス静止することができる。
【００２１】
図３は、たとえ、ひざ関節５がある角度で曲がっていたとしても、その角度を考慮した脚の上げ角９と下肢保持具の上げ角１０が変わりバランス静止し、ふくらはぎを均等に保持していることを示している。
【００２２】
つまり本発明の下肢保持具１２は、どんな脚でも必ず、固有の脚の上げ角９と下肢保持具の上げ角１０で  ふくらはぎを均等に保持しながら、脚を伸ばした状態でかかとを高く保つことができる。
【産業上の利用可能性】
【００２３】
底辺が円弧状のため、上面にかかる荷重が均等になるように上面の角度を変えバランス静止すること及び片持ち支持による荷重から枕、背もたれ、座椅子などに適用できる。
【符号の説明】
【００２４】
１上面カバー
２サイドウォール
３かかと
４ふくらはぎ基準線
５ふくらはぎの平均形状直線
６ひざ関節
７太もも基準線
８股関節
９脚の上げ角
１０下肢保持具の上げ角
１１ふくらはぎの均等荷重角  
１２  下肢保持具
１３  床面
【図１】
2012055599.tif 000003
【図２】
2012055599.tif 000004
【図３】
2012055599.tif 000005
(57)【要約】      （修正有）【課題】下ろくろを命一杯に引いて、傘をもっとも閉じている状態にしても、手を離せば、下ろくろは下はじきとの接触位置まで戻ってしまう。そのため、傘は必要以上に半開きの状態となる。【解決手段】下ろくろ2に複数の溝を設けて、下ろくろ2を引いた位置で固定できるようにする。【選択図】図３
2012055538.tif 000002
【特許請求の範囲】
【請求項１】
下ろくろに、下ろくろの可動方向に対して垂直方向の溝が複数あり、その溝に下はじきを嵌める事で、下ろくろを固定できることを特徴とする傘。
【請求項２】
下ろくろの溝に嵌める突起を複数有した下はじきを備えた、請求項１記載の傘。
【発明の詳細な説明】
【技術分野】
【０００１】
本発明は、日傘または雨傘に関するものである。
【背景技術】
【０００２】
従来の傘は、傘を閉じたときに、下ろくろの穴に下はじきが嵌る。その結果、下ろくろが固定され、傘は閉じた状態を維持する。図４は従来の傘の断面図を示したものであり、
下ろくろの固定箇所は
一箇所である。そのため、下ろくろを命一杯に引いたときに、下ろくろの穴に下はじきが嵌るわけではなく、多少の余裕を持たせてある。
【発明の概要】
【発明が解決しようとする課題】
【０００３】
下ろくろを命一杯に引いて、傘をもっとも閉じている状態にしても、手を離すと、下ろくろは下はじきとの接触位置まで戻ってしまう。そのため、傘は必要以上に半開きの状態となる。
【課題を解決するための手段】
【０００４】
図３は、この発明を示した断面図である。下ろくろに、下ろくろの可動方向に対して垂直方向の溝を複数設けて、下はじきを嵌められるようにする。また、下ろくろを命一杯引いたときに、下はじきが
下ろくろの溝に
嵌るように、下はじきを取り付ける。
【発明の効果】
【０００５】
本発明の傘は、下ろくろに複数の溝があるため、下ろくろを引いた位置で固定できる。したがって、下ろくろを命一杯に引けば、傘がもっとも閉じている状態で固定される。
【図面の簡単な説明】
【０００６】
【図１】図１はこの発明の下はじきを示した斜視図である。（実施例１）
【図２】図２はこの発明の下ろくろを示した分解図である。（実施例１）
【図３】図３はこの発明を示した断面図である。（実施例１）
【図４】図４は従来の傘を示した断面図である。
【発明を実施するための形態】
【実施例１】
【０００７】
図１は、この発明の下はじきを示した斜視図であり、下はじきには複数の突起を設ける。図２は、この発明の下ろくろを示した分解図であり、下ろくろは溝プレート(２ａ)と
下ろくろ本体（２ｂ）から構成されて
いる。また、溝プレートは金属、下ろくろ本体はプラスチック
で生成されている。溝プレートには、下ろくろの可動方向に対して垂直方向の溝を複数設ける。図３は、この発明を示した断面図であり、下ろくろを命一杯引いたときに、
下はじきが下ろくろの溝に嵌るように、下はじきを取り付ける。
【符号の説明】
【０００８】
１    下はじき
２    下ろくろ
２a  溝プレート
２b  下ろくろ本体
３    中棒
【図１】
2012055538.tif 000003
【図２】
2012055538.tif 000004
【図３】
2012055538.tif 000005
【図４】
2012055538.tif 000006
(57)【要約】【課題】パソコンやタッチパネル式の電子機器を操作しながら食事をとらねばならない場合、衛生面から、素手で掴む形式の食品は敬遠されがちであった。又、怪我や障がいの為に、一般的な食事の為の道具の使用が難しい人は、気軽に外で食事をとることができなかった。両方の解決策として衛生面に配慮したトングを提供する。【解決手段】トングの、対象物に触れる部分（ 2 ）を、分解可能な鞘（ 6 ）に収納する。それにより、トングを衛生的に持ち運ぶことが可能となる。【選択図】図１
2012055574.tif 000002
【特許請求の範囲】
【請求項１】
トングの、対象物に触れる部分を、鞘に収納する。
【請求項２】
その鞘をスライドさせることにより分解可能とし、洗浄を容易にする。
【発明の詳細な説明】
【技術分野】
【０００１】
本発明は、トングの先端部分を専用の鞘に収めることにより、衛生的、かつコンパクトに持ち運べるようにしたものである。
【背景技術】
【０００２】
従来は、トングを携帯しようとする場合、対象物に触れる先端部分を清潔に保つために、トング本体を袋に入れる等の工夫が必要であった。
【先行技術文献】
【特許文献】
【０００３】
【特許文献１】特開2001-017298
【発明の概要】
【発明が解決しようとする課題】
【０００４】
仕事の都合などで、やむなくパソコンやタッチパネル式の電子機器を操作しながら食事をとらねばならない場合、衛生面から、素手で掴む形式の食品は敬遠されがちであった。又、怪我や障がいの為に、箸やフォーク・ナイフ等の、一般的な食事の為の道具の使用が難しい人は、気軽に外で食事をとることができなかった。なお、特許文献１の発明を、一般的な食事の為の道具の使用が難しい人が、一人で用意することは、容易ではないと思われる。
【課題を解決するための手段】
【０００５】
トングの、対象物に触れる部分を、分解可能な鞘に収納する。
【発明の効果】
【０００６】
軽食をとる際、本発明品を使用することにより、食器の準備と片付けの煩わしさが軽減される。又、怪我や障がいの為に、箸やフォーク・ナイフ等の、一般的な食事の為の道具の使用が難しい人の携帯用食器として活用できる。
【図面の簡単な説明】
【０００７】
【図１】本発明の斜視図である。
【図２】本発明の鞘開口部側からの斜視図である。
【発明を実施するための形態】
【０００８】
以下、本発明の実施の形態について説明する。
（イ） . トングの、持つ部分（ 1 ）と対象物に触れる部分（ 2 ）の間につば（ 3 ）を設ける。それにより、鞘（ 6 ）が必要以上に持つ部分側に移動する事を防ぐ。又、使用中のトングをテーブル等に置いた時、常に、対象物に触れる部分（ 2 ）を浮いた状態に保ち、箸置きの役割をする。 
（ロ） . トングの、対象物に触れる部分（ 2 ）の外側に突起（ 4 ）を設け、鞘（ 6 ）の内側には突起に対応した窪み（ 5 ）を設ける。トングの収納時、窪み（ 5 ）に突起（ 4 ）を納めることにより、鞘（ 4 ）の不用意な脱落を防ぐ。 
（ハ） . 鞘（ 6 ）は 2 つの対称形の部品（ 7 ）から成る。対称形の部品（ 7 ）の合わせ面にそれぞれ凸凹の溝（ 8 ）を設けることにより、鞘（ 4 ）をスライドさせて分解可能とし、洗浄を容易にする。 
【符号の説明】
【０００９】
1  持つ部分
2  対象物に触れる部分
3  つば
4  突起
5  窪み
6  鞘
7  対称形の部品
8  凸凹の溝
【図１】
2012055574.tif 000003
【図２】
2012055574.tif 000004
(57)【要約】【課題】従来の鳥の丸焼きでは胸と胴体の内臓を取った状態の中に食材を入れるか、そのまま味をつけて調理するか又は解体して調理する方法しかなく、従来の鳥の丸焼きでは焼き上がるまで時間が掛かった。胸の部分は美味しくないと言う事で一部ペットフードもしくは廃棄処分になっていた。【解決手段】変形にする方法により、今までに無い形になり、新しい食感が得られ、味付けも簡単にでき、焼き上がるまでの時間が短縮出きる。胸部分の新しい調理方法により美味しくすることが出きる。これによって不味とされた胸肉部分が廃棄処分されずにすみます【選択図】図１
2012029667.tif 000002
【特許請求の範囲】
【請求項１】
鳥の胸の皮及びももの皮を切らずに肉の部分と皮の部分を分裂させ、胸と胴体の接合部分を羽の付け根まで切断し皮を切らないように胸の部分を開く方法及び首の部分を胸の内側に返す方法
【請求項２】
請求項１記載に対して胴体及び胸の付け根に切れ目を入れ出来た空洞の中に色々な食材を入れて調理する法方
【請求項３】
独立した胸の部分に切れ目を入れ空洞の中に色々な食材を入れて加工及び調理する方法
【発明の詳細な説明】
【技術分野】
【０００１】本発明は、鳥の丸焼きを変形させる方法と胸肉の調理方法に関する
【背景技術】
【０００２】鶏のむね肉の消費を促すことのできる処理方法と言う方法がある
【先行技術文献】
【特許文献】
【０００３】
【特許文献１】特開２００４−２６７１５４
【発明の概要】
【発明が解決しようとする課題】
【０００４】以上に述べた方法では時間と手間が掛かりすぎる。
【課題を解決するための手段】
【０００５】鳥の胸の皮及びももの皮を切らずに肉の部分と皮の部分を分裂させ、胸と胴体の接合部分を羽の付け根まで切断し皮を切らないように胸の部分を開いていき、首の部分を胸の内側に返す。これをひっくり返して鳥の変形が出来る。これによって鳥を解体せずに調理が出来ます。
【発明の効果】この姿にする事により鳥ではない形になります。そして満遍なく全体に味付けが出来る様に成り、胸肉の付け根に切れ目を入れる事により胸肉に空洞が出来ます。その中に色々な食材が入ります。これによって今まで美味しくないと言われた胸の部分が美味しくなります。この方法は胸の部分だけに成っても出来ます。本体は皮を除去していないので、肉と皮の間に味付けが出来ます。これによって、たとえば、胸部分はチーズ味、羽部分は塩味、モモ肉は醤油味など一度に３種類の味が楽しめます。
焼き方はオーブン、スチームオーブン、炭焼きなど従来の形より胸部分が開いてるため火が通り易く早く焼ける様に成ります。
【図面の簡単な説明】
【０００６】
【図１】本発明の実施形態を示す概観図
【図２】胸肉と胴体と皮を示す図
【図３】胸肉と胴体を開いた図
【図４】独立させ胸の部分を空洞にした図
【発明を実施するための形態】
【０００７】１は胸肉の部分で２は鳥皮で３はモモ肉で１と２と３を人差し指で皮を切らないように剥がしていく
【０００８】４の部分は胸肉１と胴体５の部分の繋ぎ部分で４の部分を首の所まで切断して行きそのまま持ち上げて返して平に成る様にする、この状態で好きな味付けをしても良い。
【０００９】これをひっくり返すと図１の状態になり７の部分に切れ目を入れ、そこへ指を入れて空間を作る。
【００１０】７と８の空間の間をハサミなどで切断して袋を作りそこへ好きな食材を入れ２の皮を、蓋をするように被せる。
【００１１】ここで好きな味付けをしてスチームオーブンなどで焼くととても美味しく出来上がります。
【００１２】胸の部分を独立させた場合は竹串などで塞ぐか余った鳥の皮で包む。
【符号の説明】
【００１３】１  胸の部分
２  皮の部分
３  モモの部分
４  胸と胴体の繋ぎ部分
５  胴体の部分
６  羽の部分
７  胸の部分に切れ目を入れる部分
８  首の部分
９  ハサミを入れる部分
【図１】
2012029667.tif 000003
【図２】
2012029667.tif 000004
【図３】
2012029667.tif 000005
【図４】
2012029667.tif 000006
(57)【要約】      （修正有）【課題】毎日、混ぜなくてはならないぬか床の面倒な作業を無くすこと。ぬか床に触れることで、独特のぬか床の臭いが手についてしまう。又、雑菌などの進入、増殖などそれを改善するぬか床をつくるための方法を提供する。【解決手段】乾燥したぬか床1を、ソイロン製又は紙製ダシ袋2に詰めることによって、直接ぬかに触れなくてよく、清潔である。野菜などの材料にもぬか床がつかないので、処理が簡単である。【効果】皿に盛り付け、上からラップフィルムをして、冷蔵庫で一週間保管し、試食してみたが、味も色も一週間前と変わらず、日持ちすることが証明された。【選択図】図１
2012029670.tif 000002
【特許請求の範囲】
【請求項１】
醗酵・熟成乾燥させた米ぬかつまりぬか床とその他材料をトウモロコシの素材でできたソイロン製又は紙製ダシ袋に詰めたもの。
【発明の詳細な説明】
【発明の詳細な説明】
【産業上の利用分野】
【０００１】この発明は、醗酵・熟成乾燥させた米ぬかつまりぬか床とその他材料をソイロン製又は紙製ダシ袋に詰めたものに関するものである。
【背景技術】
【０００２】ぬか床を毎日混ぜ、カビが生えたり風味が損なわれないようにぬか床の管理、手入れが大変である。また、ぬか床を混ぜる際、手についた雑菌が繁殖したり、手にぬか床の嫌な臭いがついてしまう。
【発明が解決しようとする課題】
【０００３】従って、本発明は、従来の漬け方は（つまりぬか床が）直接、野菜につくので、洗う手間等を省く為、ソイロン製又は紙製ダシ袋に入れることによって解決できる。
【課題を解決しようとする手段】
【０００４】従来のぬか漬けでは、野菜などにぬか床が付着する為、醗酵熟成乾燥させたぬか床をソイロン製又は紙製ダシ袋に詰めることによって、ぬか床が直接付着しないので、洗い流す手間を省くことができる。
【発明の効果】
【０００５】毎日、混ぜなくてよい。容器に適量の水とぬか床の入ったソイロン製又は紙製ダシ袋を入れ、その中に野菜類、キュウリ、ダイコン、ニンジン等をきざんで漬けておく。
ソイロン製又は紙製ダシ袋はトウモロコシ由来の土にかえるソイロンという素材又は紙でできているため、ぬか漬けが出来上がったら、抽出型副袋を取り出し、庭の植木や草花の土壌活性肥料として与えることが出来る。ぬか床は、抽出型袋に入っているので、手にぬかがつきにくく、衛生的。乾燥させ、繰り返し利用することもでき、安価で経済的である。
【図面の簡単な説明】
【図１】本案の醗酵熟成乾燥ぬか床を詰めたソイロン製又は紙製ダシ袋
【符号の説明】１．  醗酵熟成乾燥ぬか床
２．  ソイロン製又紙製ダシ袋
【図１】
2012029670.tif 000003